(57)【要約】【課題】再生時において録音内容を容易に確認することができ、使い易く、誤操作のない音声信号、または、復調信号を記録再生可能な音声記録再生装置を提供する。【解決手段】復調信号および音声信号を音声データに符号化する符号化手段１と、スイッチ操作部７と、操作部７の入力状態に応じて所定のシーケンスを実行する制御手段６と、操作部７の特定のスイッチを操作した場合、録音時に限って上記復調信号または音声信号のどちらか一方のみを選択的に上記符号化手段１に入力する選択手段５と、上記符号化手段１により符号化された音声データを記憶する記憶手段２と、再生時に上記記憶手段２から読み出した上記音声データを音声信号に復号化する復号化手段３と、上記復号化された音声信号を音声として再生する音声再生部４とで構成されている。【選択図】図１
2007072202.tif 000002
【特許請求の範囲】
【請求項１】
デジタル放送およびアナログ放送を受信する受信手段と、
上記受信手段において受信した受信信号を、上記受信信号がアナログ放送を受信したものであるのか、あるいは、デジタル放送を受信したものであるのかを示す情報とともに記憶媒体に記録する記録手段と、
を具備することを特徴とするデータ記録装置。
【請求項２】
さらに、上記記録の開始を指示するためのユーザが操作可能な記録開始指示手段を備え、
上記記録手段は、上記受信信号を記録する際、アナログ放送の受信信号を記録する際は、上記記録開始指示手段により記録の開始が指示された後、直ちに記録を開始し、デジタル放送の受信信号を記録する際は、上記記録開始指示手段により記録の開始が指示された後、上記受信信号に含まれる録音開始コードに同期して記録を開始することを特徴とする請求項１に記載のデータ記録装置。
【請求項３】
さらに、上記記憶媒体に記録された受信信号を再生する再生手段と、
上記再生の際、上記再生する受信信号がアナログ放送を受信したものであるのか、あるいは、デジタル放送を受信したものであるのかを示す表示を行う表示手段と、
を具備することを特徴とする請求項２に記載のデータ記録装置。
【請求項４】
受信手段と、
音声信号または上記受信手段による受信信号より得られた復調信号を符号化する符号化手段と、
上記符号化手段に選択的に音声信号または復調信号を切り換え入力する選択手段と、
上記符号化手段が出力する音声データを記憶する記憶手段と、
上記記憶手段が出力する音声データを復号化する復号化手段と、
上記復号化手段が出力する音声信号を再生する音声再生部と、
少なくとも口述録音およびエアチェック録音の操作を行う操作部と、
上記操作部の操作に応じて上記選択手段で選択された信号の録音、または、再生シーケンスを実行する制御手段と、
を具備することを特徴とする音声記録再生装置。
【請求項５】
上記選択手段でエアチェック時の録音が選択されたときには、上記制御手段により、口述録音を禁止して、復調後のデジタル音声信号のみを優先的にメモリに記憶することを特徴とする請求項４に記載の音声記録再生装置。
【請求項６】
上記選択手段でエアチェック時の録音が選択されたときには、上記制御手段により、復調後のデジタル音声信号、ヘッダ信号、または、予め設定した楽曲名、時刻等の少なくとも１つ以上の参照コードの一致に同期して録音を開始することを特徴とする請求項４に記載の音声記録再生装置。
【請求項７】
上記選択手段でエアチェック時の録音が選択されたときには、上記制御手段により、復調信号を所定の圧縮率で符号化してからメモリに記憶することを特徴とする請求項４に記載の音声記録再生装置。
【請求項８】
上記選択手段でエアチェック時の録音が選択されたときには、上記制御手段により、アナログ放送受信時の復調後のデジタル音声信号と、デジタル放送受信時の復調後のデジタル音声信号とをそれぞれ区別して符号化およびメモリに記憶し、再生時にはそれぞれを区別して復号化および再生することを特徴とする請求項４に記載の音声記録再生装置。
【請求項９】
口述録音時の音声データと、エアチェック録音時の音声データとをそれぞれ区別してメモリに記憶し、再生時にはそれぞれを区別して復号化および再生することを特徴とする請求項４に記載の音声記録再生装置。
【発明の詳細な説明】
【技術分野】
【０００１】
本発明は、受信手段を備えたデータ記録装置および音声記録再生装置に関する。
【背景技術】
【０００２】
周知のように、音声信号をデジタルデータに変換した後、書換え可能な記録媒体としてのフラッシュメモリに記憶し、上記フラッシュメモリに記録された音声データをアナログ化して再生するという携帯型の音声記録再生装置、所謂、ＩＣレコーダが１９９０年代後半から本格的に実用化されている。さらに近年では、録音しながら同時に画像も記録することができる撮像機能付きＩＣレコーダも製品化されている。
【０００３】
これらのＩＣレコーダの特徴として、所定の操作スイッチを操作することにより、録音、再生、早送り、および早戻しなどの各動作モードを選択的に機能させることができ、たとえば、録音動作のときは、予め上記フラッシュメモリに設けられた音声データ領域およびインデックス情報領域に、デジタル信号に変換された音声データ、および該音声データに関するインデックス情報（音声データのアドレス、録音日時等）を記憶するようになっている。
【０００４】
上記フラッシュメモリに記憶される音声データは、ファイルナンバーとフォルダ記号が割り当てられ、その後のファイル検索や再生を容易にしている。また、上記フォルダは、録音毎に増え続けるファイルを効率よく区分管理するために、たとえば、Ａ、Ｂ、およびＣフォルダのように通常は複数個設けられており、選択中のフォルダを口述者が認識し易いように、セット本体のＬＣＤなどの表示機器に当該フォルダマークをポップ表示するように工夫されている。
【０００５】
一方、トランジスタ等の半導体の性能向上に歩調を合わせるかのように１９７０〜１９７５年ごろに一時的なＢＣＬブームが起き、以降、ラジオ番組のエアチェックは、一部のマニアのみならず一般的にも認知され、日々の生活の中でごく自然に行なわれるようになっている。
【０００６】
特に人気ＤＪの口述内容や人気歌手の楽曲は、個人の生活シーンにおいても利用価値が非常に高くエアチェックの絶好の対象になっている。もちろん、多くのリスナーは、録音品質を損ねないように、すなわちＤＪの口述内容や演奏曲の頭をできるだけ切らないように注意深くＲＥＣキーを操作している。それでも多くのリスナーは、完璧なエアチェックに失敗している。
【０００７】
そこで、特許文献１には、録音開始時点の少なくとも前後一定期間の放送内容を取りこぼさないように、チューナの復調信号をＡ／Ｄ変換してからメモリに書き込み、記憶する録音方法が述べられている。
【特許文献１】特開平６−６１８８３号公報
【発明の開示】
【発明が解決しようとする課題】
【０００８】
しかしながら、上記特許文献１に提案されている録音方法の場合、録音開始点（例えば、ＲＡＭアドレス）を指定することができないので、再生時はアドレスカウンタを所定番地（たとえば、０番地）から順にインクリメントして目的の録音内容を探し出さなければならない。
【０００９】
また、Ａ／Ｄ変換（例えば、ＰＣＭ）値を非圧縮のまま直接ＲＡＭに書き込んでいるので、高音質を要求する音楽の長時間録音には耐えられない。すなわち、ＦＭ放送のような広帯域のオーディオ信号を長時間録音するとき、いくらＲＡＭ容量を増やしたとしても録音時間に対するメモリコストが見合わず現実的ではない。
【００１０】
さらに、ＲＡＭ容量に比例して消費電流や実装スペースも増大するので、低消費電流・小型・軽量が要求されるポータブルセットには不向きである。またさらに、録音時のＲＡＭアドレス値との関連付けと、再生時の検索方法（いわゆる、ファイル管理）が曖昧なので、再生時の録音内容の探し出しは、特に録音内容数が多くなるほど困難になる。
【００１１】
このように、アナログ放送の復調信号を単にＡ／Ｄ変換してメモリに書き込むという録音方式は、せいぜい聞き逃した内容をその場でもう一度聞き直す程度の単一的な使い方に限られてしまい、非常に使い勝手が悪い。
【００１２】
本発明の目的は、上記事情に鑑みてなされたものであり、再生時において録音内容を容易に確認することができ、使い易く、誤操作のない音声信号、または、復調信号を記録、または、再生可能なデータ記録装置、または、音声記録再生装置を提供することを目的とする。
【課題を解決するための手段】
【００１３】
上記の目的を達成するために本発明の請求項１記載のデータ記録装置は、デジタルル放送およびアナログ放送を受信する受信手段と、上記受信手段において受信した受信信号を、上記受信信号がアナログ放送を受信したものであるのか、あるいは、デジタル放送を受信したものであるのかを示す情報とともに記憶媒体に記録する記録手段とを具備する。
【００１４】
本発明の請求項２に記載のデータ記録装置は、請求項１に記載のデータ記録装置において、さらに、上記記録の開始を指示するためのユーザが操作可能な記録開始指示手段を備え、上記記録手段は、上記受信信号を記録する際、アナログ放送の受信信号を記録する際は、上記記録開始指示手段により記録の開始が指示された後、直ちに記録を開始し、デジタル放送の受信信号を記録する際は、上記記録開始指示手段により記録の開始が指示された後、上記受信信号に含まれる録音開始コードに同期して記録を開始する。
【００１５】
本発明の請求項３に記載のデータ記録装置は、請求項２に記載のデータ記録装置において、さらに、上記記憶媒体に記録された受信信号を再生する再生手段と、上記再生の際、上記再生する受信信号がアナログ放送を受信したものであるのか、あるいは、デジタル放送を受信したものであるのかを示す表示を行う表示手段とを具備する。
【００１６】
本発明の請求項４に記載の音声記録再生装置は、受信手段と、音声信号または上記受信手段による受信信号より得られた復調信号を符号化する符号化手段と、上記符号化手段に選択的に音声信号または復調信号を切り換え入力する選択手段と、上記符号化手段が出力する音声データを記憶する記憶手段と、上記記憶手段が出力する音声データを復号化する復号化手段と、上記復号化手段が出力する音声信号を再生する音声再生部と、少なくとも口述録音およびエアチェック録音の操作を行う操作部と、上記操作部の操作に応じて上記選択手段で選択された信号の録音、または、再生シーケンスを実行する制御手段とを具備する。
【００１７】
本発明の請求項５に記載の音声記録再生装置は、請求項４に記載の音声記録再生装置において、上記選択手段でエアチェック時の録音が選択されたときには、上記制御手段により、口述録音を禁止して、復調後のデジタル音声信号のみを優先的にメモリに記憶する。
【００１８】
本発明の請求項６に記載の音声記録再生装置は、請求項４に記載の音声記録再生装置において、上記選択手段でエアチェック時の録音が選択されたときには、上記制御手段により、復調後のデジタル音声信号、ヘッダ信号、または、予め設定した楽曲名、時刻等の少なくとも１つ以上の参照コードの一致に同期して録音を開始する。
【００１９】
本発明の請求項７に記載の音声記録再生装置は、請求項４に記載の音声記録再生装置において、上記選択手段でエアチェック時の録音が選択されたときには、上記制御手段により、復調信号を所定の圧縮率で符号化してからメモリに記憶する。
【００２０】
本発明の請求項８に記載の音声記録再生装置は、請求項４に記載の音声記録再生装置において、上記選択手段でエアチェック時の録音が選択されたときには、上記制御手段により、アナログ放送受信時の復調後のデジタル音声信号と、デジタル放送受信時の復調後のデジタル音声信号とをそれぞれ区別して符号化およびメモリに記憶し、再生時にはそれぞれを区別して復号化および再生する。
【００２１】
本発明の請求項９記載の音声記録再生装置は、請求項４記載の音声記録再生装置において、口述録音時の音声データと、エアチェック録音時の音声データとをそれぞれ区別してメモリに記憶し、再生時にはそれぞれを区別して復号化および再生する。
【発明の効果】
【００２２】
本発明によれば、再生時において録音内容を容易に確認することができ、使い易く、誤操作のない音声信号、または、復調信号を記録、または、再生可能なデータ記録装置、または、音声記録再生装置を提供することができる。
【発明を実施するための最良の形態】
【００２３】
以下、本発明の実施の形態を図を用いて説明する。  
図１は、本発明のデータ記録装置を含む音声記録再生装置の構成例の概略を示したブロック構成図である。
【００２４】
上記音声記録再生装置は、ラジオ受信機能付き音声記録再生装置であり、図１に示すように受信手段により取り込まれた復調信号、また、音声信号を所定のフォーマット形式の音声データに符号化する符号化手段１と、複数の操作スイッチが設けられた操作部であるスイッチ操作部７と、上記操作スイッチの入力状態に応じて所定のシーケンスを実行する制御手段６と、上記スイッチ操作部７の特定のスイッチを操作した場合、録音時に限って上記復調信号または音声信号のどちらか一方のみを選択的に上記符号化手段１に入力する選択手段５と、上記符号化手段１により符号化された音声データを記録手段を介して記憶する記憶手段２と、再生時に上記記憶手段２から読み出した上記音声データを所定の復号化フォーマットに従って、音声信号に復号化する復号化手段３と、上記復号化された音声信号を音声として再生する音声再生部４とにより構成される。
【００２５】
本発明の一実施形態の音声記録再生装置であるＩＣレコーダの構成について、図２のブロック構成図を用いて説明する。  
本実施形態のＩＣレコーダ３０は、音声を電気信号に変換するマイクロホン（ＭＩＣ）１５、および、ラジオ電波を受信するアンテナ１１と、受信手段であるチューナ部１２を具備しており、マイクロホン１５からの音声出力は、音声入力部１６に入力される。音声入力部１６は、図示しないマイクアンプ、ローパスフィルタ、およびＡ／Ｄ変換器で構成されている。上記マイクアンプで増幅されたアナログの音声信号は、上記ローパスフィルタにより不要な周波数領域をカットされた後、上記Ａ／Ｄ変換器でデジタル信号に変換される。
【００２６】
一方、アンテナ１１で受信した高周波電流は、チューナ部１２に入力される。チューナ部１２は、図示しないＲＦ増幅回路、ＰＬＬ回路、ＩＦ増幅回路、復調回路、Ａ／Ｄ変換器等で構成されている。上記復調回路で復調されたアナログの復調信号は、ローパスフィルタで不要な周波数帯域をカットした後、Ａ／Ｄ変換器でデジタル信号に変換される。
【００２７】
また、チューナ部１２は、アナログラジオ放送およびデジタルラジオ放送（ＨＤラジオ，high definition）の両方に対応しており、たとえばデジタルラジオ放送が受信できないときは、自動的にアナログ放送の受信処理を行なう。基本的には、デジタルラジオ放送を優先的に受信する。
【００２８】
上記音声および上記復調信号は、選択手段を有するシステム制御部１８の制御により何れか一方が選択され、符号化手段および複号化手段を有するデジタル信号処理部（ＤＳＰ）２１に入力される。このデジタル信号処理部２１は、録音時には制御手段であるシステム制御部１８に制御されて上記各デジタル信号をフレーム単位で所定の符号化フォーマットの音声データに符号化（圧縮）する。符号化された各データは、一時的にシステム制御部１８の図示しないバッファメモリに記憶される。
【００２９】
一方、再生時の上記デジタル信号処理部２１は、システム制御部１８に制御されて、このシステム制御部１８の図示しないバッファメモリから音声データおよび画像データをフレーム単位で復号化（伸長）する。復号化された音声のデジタル信号は、音声再生部１３に入力される。
【００３０】
音声再生部１３は、図示しないＤ／Ａ変換器、ローパスフィルタ、およびパワーアンプで構成されている。上記Ｄ／Ａ変換器でアナログ信号に変換された音声信号は、ローパスフィルタで不要な周波数帯域がカットされた後、パワーアンプで増幅される。そして、スピーカ（ＳＰ）１４から音声として出力される。
【００３１】
システム制御部１８は、ＣＰＵで構成されており、該システム制御部１８には、上記デジタル信号処理部２１以外に、記億部（メモリ）２０、スイッチ操作部を有する操作部１９、および、表示部１７が接続されている。
【００３２】
記憶部（メモリ）２０は、不揮発性の半導体メモリ、たとえば、フラッシュメモリ等で構成されており、録音時は、上記デジタル信号処理部２１で符号化された音声データを上記システム制御部１８の図示しないバッファメモリを介して記憶する。このとき、音声データに関するインデックス情報も記憶する。
【００３３】
操作部１９は、ユーザによって操作されるスイッチ群であって、記録の開始を指示する記録開始指示手段である録音スイッチ（ＲＥＣ）、再生スイッチ（ＰＬＡＹ）、停止スイッチ（ＳＴＯＰ）、早送りスイッチ（ＦＦ）、早戻しスイッチ（ＲＥＷ）、メニュースイッチ（ＭＥＮＵ）、ホールドスイッチ（ＨＯＬＤ）等の各種スイッチが機能別に配設されている。
【００３４】
表示部１７は、上記操作部１９のいずれかのスイッチ操作により、所定のシーケンスが開始したときの動作モード、または、その後の動作状況を表示する。たとえば、録音スイッチ（ＲＥＣ）を押した場合は、録音の経過時間、録音可能な残り時間、およびファイルナンバー等を表示する。また、メニュースイッチ（ＭＥＮＵ）を押した場合は、マイク感度（高／低）、録音モード（標準／ロング）、およびアラーム（オン／オフ）等の機能選択に関連した表示を行なう。さらに、上記システム制御部１８が時計機能を有しているときは、現在日時の表示も行なう。また、受信信号の再生の際、アナログ放送の受信信号を記録したものを再生するか、デジタル放送の受信信号を記録したもの再生するかも表示部１７には表示される。
【００３５】
次に、本実施形態のＩＣレコーダ３０の動作を図３を参照しながら説明する。  
図３は、本実施形態のＩＣレコーダ３０におけるメイン処理動作を示すフローチャートである。
【００３６】
ＩＣレコーダ３０がパワーオンされると、システム制御部１８による制御のもとで図３に示すメイン処理が立ち上がり、ステップＳ１，２にて所定の初期設定を行い、タイマ計時がスタートする。このタイマは、所定時間経過後にＩＣレコーダ３０が通常の動作モードから待機モード（低消費電流モード）に入るための時間を計時する。
【００３７】
そして、ＩＣレコーダ３０の動作モードに入り、ステップＳ３〜Ｓ１０に示すスイッチ検出動作により、録音スイッチ（ＲＥＣ）、再生スイッチ（ＰＬＡＹ）、早送りスイッチ（ＦＦ）、早戻しスイッチ（ＲＥＷ）、停止スイッチ（ＳＴＯＰ）、メニュースイッチ（ＭＥＮＵ）、消去スイッチ（ＥＲＡＳＥ）、チューニングスイッチ（ＴＵＮＥ）の順に、オンしたスイッチがあるか否かを検出し、オンされたスイッチに対応するサブルーチンを呼び出し、実行する。
【００３８】
ステップＳ３にて録音スイッチがオンされたことが検出された場合、ステップＳ１１にジャンプして録音処理のサブルーチンを実行する。同様に、ステップＳ４にて再生スイッチのオンが検出された場合、ステップＳ１２にジャンプして再生処理のサブルーチンを実行する。ステップＳ５にて早送りスイッチがオンされたことが検出された場合、ステップＳ１３にジャンプして早送り処理のサブルーチンを実行する。ステップＳ６にて巻き戻しスイッチがオンされたことが検出された場合、ステップＳ１４にジャンプして早戻し処理のサブルーチンを実行する。
【００３９】
また、ステップＳ７にて停止スイッチがオンされたことが検出された場合、ステップＳ１５にジャンプして停止処理のサブルーチンを実行する。ステップＳ８にてメニュースイッチがオンされたことが検出された場合、ステップＳ１６にジャンプしてメニュー変更処理のサブルーチンを実行する。ステップＳ９にて消去スイッチがオンされたことが検出された場合、ステップＳ１７にジャンプして消去処理のサブルーチンを実行する。ステップＳ１０にてチューニングスイッチがオンされたことが検出された場合、ステップＳ１８にジャンプして受信処理のサブルーチンを実行する。
【００４０】
そして、上記各サブルーチン実行後は、ステップＳ１９にて上記タイマ計時を再スタートさせてステップＳ３に戻る。
【００４１】
なお、上記早送り処理、早戻し処理、停止処理、メニュー変更処理、および消去処理の各処理は、周知の技術手段を用いて実施しているので詳しい説明は省略する。
【００４２】
操作部１９のすべてのスイッチがオフしている場合は、ステップＳ２０に進み、上記タイマの計時時聞が所定時間をオーバーしているかをチェックし、オーバーしている場合、ステップＳ２１に進み、待機モードのサブルーチンに入る。オーバーしてない場合は、ステップＳ３に戻る。
【００４３】
上記待機モードに入った場合、ＩＣレコーダ３０は低消費電流動作状態に移行する。具体的には、図２の音声入力部１６、チューナ部１２、音声再生部１３、表示部１７、記憶部（メモリ）２０、および、デジタル信号処理部（ＤＳＰ）２１の供給電源を遮断、もしくは、各ブロックを構成する図示しないＩＣに設けられているチップイネーブル端子にシステム制御部１８から非選択信号を出力することにより、低消費電流状態にする。このとき、システム制御部１８のＣＰＵは、自らも動作クロックを最も消費電流の少ない低速クロックに切り換えて低消費電流状態になる。場合によっては、動作クロックをメインクロック（たとえば、２７．０００ＭＨｚ）からサブクロック（たとえば、３２．７６８ＫＨｚ）に切り換えて、その後、スイッチ入力が検出されるまで上記メインクロックを完全に停止させてもよい。
【００４４】
次に上記メイン処理（図３）で呼び出されるサブルーチンの録音処理について、図２、図４、及び、図５を参照して説明する。  
図４は、ＩＣレコーダ３０の記憶部２０における音声データを記憶する音声データ領域と各領域の先頭アドレスを与えるインデックス情報領域を示す図である。図５は、上記サブルーチンの録音処理のフローチャートである。
【００４５】
録音処理が開始されると、最初にステップＳ３１でマイク感度（高／低）、録音モード（標準／ロング）、ファイルナンバー、および、この音声データを記憶する音声データ記憶領域開始アドレス等の各種情報が、インデックス情報領域に記憶される。
【００４６】
次に、ステップＳ３２にてエアチェックモードフラグの判定を行い、エアチェックモードフラグがセットされているときは、ステップＳ３３に進み、チューナ部１２を介して受信を行う受信処理のサブルーチンを実行する。上記エアチェックモードフラグがセットされていなければ、ステップＳ４０にジャンプし、音声入力部１６を介した通常の口述録音の音声信号を取り込むことを選択し、ステップＳ３４に進む。
【００４７】
上記エアチェックモードフラグは、デジタル信号処理部（ＤＳＰ）２１に対してチューナ部１２から出力される上記復調信号を選択するモード（エアチェックモード）か、マイクロホン１５より入力される上記音声信号を選択するモードかを判定するためのフラグであって、このフラグは、前述のステップＳ１０におけるチューニングスイッチのオンによるか、または、ステップＳ８におけるメニュースイッチのオンによるメニュー変更処理にてセットされる。
【００４８】
なお、エアチェックモード時は、上記録音モード（標準／ロング）の設定を無視して放送受信波の音質品位（＝ビットレート）に応じた録音モードに自動的に切り替えて録音してもよい。
【００４９】
ステップＳ３４にてデジタル信号処理部（ＤＳＰ）２１により上記音声信号または上記復調信号がデジタル化音声データとして符号化されるが、符号化そのものはフレーム単位で行われる。音声データが所定フレーム数になるまで連続的にシステム制御部１８のバッファメモリ（図示せず）に記憶される。ステップＳ３５にて上記音声データが所定フレーム数に到達したと判別されると、ステップＳ３６に進み、上記音声データを記憶部（メモリ）２０の音声データ記憶領域開始アドレスから順に書き込んで記憶する。たとえば、１０ビット／フレームの音声信号を４ビット／フレームまで符号化した音声データを上記記憶部（メモリ）２０に５１２バイト単位で書き込む場合は、上記所定フレーム数は１，０２４になる。
【００５０】
図４に示すように、口述録音の音声データ領域Ａ、および、エアチェック録音の音声データ領域Ｂは、音声データ領域の先頭アドレスから順に記憶されている。また、口述録音の音声データ領域Ａ、および、エアチェック録音の音声データ領域Ｂに対応する開始アドレスは、音声データ領域Ａの先頭アドレス、および、エアチェック録音の音声データ領域Ｂの先頭アドレスとしてインデックス情報領域に記憶されている。言うまでもなく、音声データ領域Ｃ、…音声データ領域Ｑ、音声データ領域Ｒと、音声データ領域（すなわち、ファイル）が確保される毎に各音声データ領域の先頭アドレスをインデックス情報領域に記憶すればよい。
【００５１】
なお、再生時のファイル検索を容易にするために、口述録音の音声データとエアチェック録音時の音声データとを個別フォルダで管理してもよい。
【００５２】
図５の録音処理のフローチャートの説明に戻って、ステップＳ３７以降の説明を行う。
【００５３】
ステップＳ３７ではエアチェックモードが解除されているか否かの判定を行なう。エアチェックモードの解除は、前述のチューニングスイッチの再オン、または、メニュースイッチの再オン等により任意のタイミングで解除することもできるが、復調信号に含まれる前述の参照コードに同期させ、例えば、予め設定した任意時刻でエアチェックモードを解除するということも容易にできる。
【００５４】
ステップＳ３７にてエアチェックモード解除と判定された場合は、ステップＳ４１にジャンプするが、エアチェックモード解除されなかった場合はステップＳ３８に進み、上記停止スイッチの検出を行い、オンが検出されるまでステップＳ３２に戻る。上記停止スイッチのオンが検出されるとステップＳ３９に進む。
【００５５】
ステップＳ４１では録音開始コード一致フラグをリセットし、さらにステップＳ４２でエアチェックモードフラグをリセットする。その後、ステップＳ３９に進み、録音終了処理を実行して録音を終了する。
【００５６】
次に上記メイン処理（図３）および録音処理（図５）で呼び出されるサブルーチンの受信処理について、図２、図４、及び、サブルーチンの受信処理のフローチャートである図６を参照して説明する。
【００５７】
まず、ステップＳ５１にて復調信号を選択した後、ステップＳ５２にて録音開始コードを参照するか否かの判定を行なう。この録音開始コードを参照する場合は、デジタル放送を受信して記録する場合が相当し、録音開始コードを参照しない場合は、アナログ放送を受信して記録する場合が相当する。
【００５８】
上記録音開始コードは、復調後のデジタル音声信号、ヘッダ信号、または予め設定した楽曲名、時刻等で表わされる固有の参照コードであり、エアチェックモード時の録音開始信号として機能する。録音開始コードを参照する場合は、ステップＳ５３にて上記録音開始コードと復調信号との比較を行い、ステップＳ５４で録音開始コードと復調信号との―致が検出されるまで上記比較を連続的に行なう。なお、録音開始コードと復調信号の比較は、単一の参照コードでも複数の参照コードで行ってもよい。
【００５９】
設定したすべての録音開始コードと復調信号が―致すれば、ステップＳ５５で録音開始コード一致フラグをセットして本受信処理を終了する。
【００６０】
次に上記メイン処理（図３）で呼び出されるサブルーチンの再生処理について、図２、および、上記サブルーチンの再生処理のフローチャートである図７を参照して説明する。
【００６１】
上記再生処理が開始すると、ステップＳ６１にて選択した音声データ領域に関連した録音モード（標準／ロング）、ファイルナンバー、および、この音声データを記憶した音声データ記憶領域開始アドレス等の各種情報が、インデックス情報領域から読み出される。そして、ステップＳ６２にて上記音声データ記憶領域開始アドレスから順に記憶部（メモリ）２０に記憶している音声データを読み出し、ステップＳ６３にてデジタル信号処理部２１により復号化する。上記復号化そのものはフレーム単位で行なう。ステップＳ６４にて音声データが所定フレーム数に到達したことが検出されるまで上記復号化を連続的に行う。復号化された信号は、システム制御部１８の図示しないバッファメモリに順次記憶しながら音声信号として音声再生部１３に出力する。
【００６２】
上記ステップＳ６２からＳ６４の処理は、ステップＳ６５にて停止スイッチ（ＳＴＯＰ）のオンを検出するまで繰り返し行なわれる。上記停止スイッチ（ＳＴＯＰ）のオンが検出されると、ステップＳ６６にて再生終了処理を実行して、本再生処理を終了する。
【００６３】
本ＩＣレコーダ３０による実際のエアチェックモード時の録音の様子を図８〜１０を参照しながら説明する。  
図８，１０は、手に持った状態のＩＣレコーダ３０の正面図であり、図８は、録音状態を示し、図１０は、エアーチェック中の状態を示す。図９は、ＩＣレコーダ３０を上方側から見た図である。
【００６４】
図８，１０に示すようにＩＣレコーダ３０の前面には、上側にＬＣＤ表示部１７の表示窓７１が配され、その下側に受信開始用チューニングスイッチ（ＴＵＮＥ）用操作釦７３が配され、下方にスピーカ孔部７８が配され、スピーカ孔部７８の内側にスピーカ１４が配されている。ＩＣレコーダ３０の左側面には、録音スイッチ（ＲＥＣ）用操作釦７０が配されている。また、ＩＣレコーダ３０の上面には、左側にマイクロホン孔部７４と、右寄り位置にマイクロホンジャック７６とイヤホンジャック７７とが配されている。マイクロホン孔部７４の内側にはマイクロホン１５が配されている。
【００６５】
なお、受信開始用チューニングスイッチ（ＴＵＮＥ）の操作釦７３および録音スイッチ（ＲＥＣ）の操作釦７０以外の他の操作スイッチの操作釦は、特に図示していないが、操作し易いようにＩＣレコーダ３０の前面、あるいは、側面側に配設されているものとする。さらに、アンテナ１１（図２）は、イヤホンジャック７７に接続されるイヤホンケーブルそのものがワイヤーアンテナとして機能する。
【００６６】
まず、上述したＩＣレコーダ３０において、録音スイッチ操作釦７０をオン操作にすると録音が開始する。このとき、表示部窓７１には録音開始初期の表示が現れ、録音動作状態であることを操作者に告知する（図８）。口述録音中には、上記チューニングスイッチ（ＴＵＮＥ）操作釦７３を操作しても前述したとおりエアチェックモードに入ることはない。
【００６７】
つぎに、エアチェックモードに入ると、表示窓１７にはチューナの受信状態表示がなされる（図１０）。少なくとも、アナログ／デジタル放送、ＡＭ／ＦＭ、および、受信チャンネルは操作者に告知される。もし、画面表示が煩雑にならないようであれば、録音開始コードの詳細な設定内容まで表示してもよい。上記表示形態は、通常の単なるラジオ受信モードと共通でも構わない。さらに、エアチェックモード時は、表示部窓７１に例えば、“ＡＩＲ ＣＨＥＣＫ”の表示を点灯または点滅させて、エアチェック中であることをより明快に操作者に告知してもよい。
【００６８】
ところで、ＩＣレコーダ３０が停止状態のとき、上記受信開始用チューニングスイッチ（ＴＵＮＥ）の操作釦７３をオン操作すると、図２のシステム制御部１８とデジタルラジオ放送に対応したチューナ部１２によるチャンネルサーチ、すなわち、自動チューニングが行なわれる。このとき、受信感度が所定レベルを超えているチャンネルを全てロックして、表示部窓７１に１チャンネルづつ、または、ロックした全てのチャンネルを一覧表示してもよい。
【００６９】
本実施形態のＩＣレコーダ３０によれば、従来のデジタル音声記録装置にラジオチューナ部をビルトインし、口述録音と同等の感覚でエアチェックの録音・再生操作を行なうことができる。特に、復調後の高音質デジタル音声信号をダイレクトに、かつ、容易に録音・再生することができる。また、再生時においては、録音内容を容易に確認することができる。
【００７０】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【００７１】
本発明の音声記録再生装置は、再生時において録音内容を容易に確認することができ、使い易く、誤操作のない音声信号、または、復調信号を記録再生可能な音声記録再生装置として利用できる。
【図面の簡単な説明】
【００７２】
【図１】本発明のデータ記録装置を含む音声記録再生装置の構成例の概略を示したブロック構成図である。
【図２】本発明の一実施形態の音声記録再生装置であるＩＣレコーダのブロック構成図である。
【図３】図２のＩＣレコーダにおけるメイン処理動作を示すフローチャートである。
【図４】図２のＩＣレコーダの記憶部における音声データを記憶する音声データ領域と各領域の先頭アドレスを与えるインデックス情報領域を示す図である。
【図５】図３のメイン処理で呼び出されるサブルーチンの録音処理のフローチャートである。
【図６】図３のメイン処理および図５の録音処理で呼び出されるサブルーチンの受信処理のフローチャートである。
【図７】図３のメイン処理で呼び出されるサブルーチンの再生処理のフローチャートである。
【図８】図２のＩＣレコーダを手に持ったときの録音状態での正面図である。
【図９】図２のＩＣレコーダを上方側から見た図である。
【図１０】図２のＩＣレコーダを手に持ったときのエアーチェック状態での正面図である。
【符号の説明】
【００７３】
１  …符号化手段
２  …記憶手段
３  …復号化手段
５  …選択手段
６  …制御手段
７  …スイッチ操作部（操作部）
１２  …チューナ部（受信手段）
１３  …音声再生部
１７  …表示部（表示手段）
１８  …システム制御部
（制御手段，選択手段，
記録開始指示手段，記録手段）
１９  …操作部
２０  …記憶部（記憶手段）
２１  …デジタル信号処理部
（符号化手段，復号化手段）
【図１】
2007072202.tif 000003
【図２】
2007072202.tif 000004
【図３】
2007072202.tif 000005
【図４】
2007072202.tif 000006
【図５】
2007072202.tif 000007
【図６】
2007072202.tif 000008
【図７】
2007072202.tif 000009
【図８】
2007072202.tif 000010
【図９】
2007072202.tif 000011
【図１０】
2007072202.tif 000012